(57)【特許請求の範囲】
【請求項１】
スマートフォン用電話帳情報を保持するスマートフォン電話帳情報保持部と、前記スマートフォン電話帳情報保持部に保持されている電話帳情報の内容とスマートフォンに保持されている電話帳情報の内容とを同一にするための同期処理を行うための第１の同期処理要求を送信する第１の同期処理要求送信部と、前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を行う同期処理部と、前記同期処理部による同期処理後の前記フィーチャーフォン用電話帳情報と前記フィーチャーフォンに保持されている電話帳情報の内容とを同一にするための同期処理を行うための第２の同期処理要求を、前記フィーチャーフォンに送信する第２の同期処理要求送信部と、を有するスマートフォン用電話帳サーバ装置と、
前記フィーチャーフォンに関するフィーチャーフォン用電話帳情報を保持するフィーチャーフォン電話帳情報保持部と、前記フィーチャーフォン用電話帳情報をバックアップする契約が存在し、かつ、前記第２の同期処理要求が入力された場合に、前記フィーチャーフォン電話帳情報保持部に保持されている電話帳情報の内容と前記スマートフォン電話帳情報保持部に保持されている電話帳情報の内容とを同一にするための同期処理を行う同期処理部と、前記第２の同期処理要求が入力された場合に、前記フィーチャーフォン電話帳情報保持部に保持されている電話帳情報の内容と前記フィーチャーフォンに保持されている電話帳情報の内容とを同一にするための第３の同期処理要求を送信する第３の同期処理要求送信部とを有するフィーチャーフォン用電話帳サーバ装置と、
を含むことを特徴とする電話帳情報同期システム。
【請求項２】
スマートフォン用電話帳情報を保持するスマートフォン電話帳情報保持部と、
前記スマートフォン電話帳情報保持部に保持されている電話帳情報の内容とスマートフォンに保持されている電話帳情報の内容とを同一にするための同期処理を行うための第１の同期処理要求を送信する第１の同期処理要求送信部と、
前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を行う同期処理部と、
前記同期処理部による同期処理後の前記フィーチャーフォン用電話帳情報と前記フィーチャーフォンに保持されている電話帳情報の内容とを同一にするための同期処理を行うための第２の同期処理要求を、前記フィーチャーフォンに送信する第２の同期処理要求送信部と、
を含むことを特徴とするスマートフォン用電話帳サーバ装置。
【請求項３】
請求項２に記載のスマートフォン用電話帳サーバ装置において、前記第１の同期処理要求送信部は、前記第１の同期処理要求を、周期的に送信することを特徴とするスマートフォン用電話帳サーバ装置。
【請求項４】
フィーチャーフォンに関するフィーチャーフォン用電話帳情報を保持するフィーチャーフォン電話帳情報保持部と、前記フィーチャーフォン用電話帳情報をバックアップする契約が存在し、かつ、前記フィーチャーフォン電話帳情報保持部に保持されている電話帳情報の内容とスマートフォン用電話帳サーバ装置のスマートフォン電話帳情報保持部に保持されている電話帳情報の内容とを同一にするための同期処理を行うための第２の同期処理要求が入力された場合に、前記フィーチャーフォン電話帳情報保持部に保持されている電話帳情報の内容と前記スマートフォン電話帳情報保持部に保持されている電話帳情報の内容とを同一にするための同期処理を行う同期処理部と、前記第２の同期処理要求が入力された場合に、前記フィーチャーフォン電話帳情報保持部に保持されている電話帳情報の内容と前記フィーチャーフォンに保持されている電話帳情報の内容とを同一にするための第３の同期処理要求を送信する第３の同期処理要求送信部とを含むことを特徴とするフィーチャーフォン用電話帳サーバ装置。
【請求項５】
加入者に関する契約情報を保持する加入者情報保持部と、着信者情報呼出要求が入力された場合に、前記加入者情報保持部に保持されている契約情報を確認する契約情報確認部と、フィーチャーフォンについての在圏情報の問合せがあった場合に、前記フィーチャーフォンの在圏情報を返信する在圏情報返信部とを含み、前記在圏情報に基づいて、前記フィーチャーフォンに保持されている電話帳情報の内容と前記フィーチャーフォンと同一名義のスマートフォンに保持されている電話帳情報の内容とを同一にするための同期処理を促すことを特徴とする加入者情報管理サーバ装置。
【請求項６】
スマートフォン用電話帳情報を保持するスマートフォン電話帳情報保持部と、前記スマートフォン電話帳情報保持部に保持されている電話帳情報の内容とスマートフォンに保持されている電話帳情報の内容とを同一にするための同期処理を行うための第１の同期処理要求を送信する第１の同期処理要求送信部と、前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を行う同期処理部と、前記同期処理部による同期処理後の前記フィーチャーフォン用電話帳情報と前記フィーチャーフォンに保持されている電話帳情報の内容とを同一にするための同期処理を行うための第２の同期処理要求を、前記フィーチャーフォンに送信する第２の同期処理要求送信部と、を有するスマートフォン用電話帳サーバ装置と、
前記フィーチャーフォンに関するフィーチャーフォン用電話帳情報を保持するフィーチャーフォン電話帳情報保持部と、前記フィーチャーフォン用電話帳情報をバックアップする契約が存在し、かつ、前記第２の同期処理要求が入力された場合に、前記フィーチャーフォン電話帳情報保持部に保持されている電話帳情報の内容と前記スマートフォン電話帳情報保持部に保持されている電話帳情報の内容とを同一にするための同期処理を行う同期処理部と、前記第２の同期処理要求が入力された場合に、前記フィーチャーフォン電話帳情報保持部に保持されている電話帳情報の内容と前記フィーチャーフォンに保持されている電話帳情報の内容とを同一にするための第３の同期処理要求を送信する第３の同期処理要求送信部を有するフィーチャーフォン用電話帳サーバ装置と、
を含む電話帳情報同期システムにおいて実現される電話帳情報同期方法であって、
前記スマートフォン電話帳情報保持部に保持されている電話帳情報の内容とスマートフォンに保持されている電話帳情報の内容とを同一にするための同期処理を行うための第１の同期処理要求を前記スマートフォン用電話帳サーバ装置において送信する第１ステップと、
前記第１の同期処理要求に基づく着信者情報呼出要求が入力された場合に、前記加入者情報管理サーバ装置において前記スマートフォンに関する契約情報を確認する第２ステップと、
前記第２ステップによる確認の結果、前記スマートフォンと同一名義のフィーチャーフォンが存在し、かつ、前記フィーチャーフォン用電話帳情報をバックアップする契約が存在する場合に、前記第３の同期処理要求を送信する第３ステップと、
前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を前記スマートフォン用電話帳サーバ装置において行う第４ステップと、
前記第４ステップによる同期処理後の前記フィーチャーフォン用電話帳情報と前記フィーチャーフォンに保持されている電話帳情報の内容とを同一にするための同期処理を行うための第２の同期処理要求を、前記スマートフォン用電話帳サーバ装置から前記フィーチャーフォンに送信する第５ステップと、
を含むことを特徴とする電話帳情報同期方法。
【発明の詳細な説明】
【技術分野】
【０００１】
本発明は電話帳情報同期システム、スマートフォン用電話帳サーバ装置、フィーチャーフォン用電話帳サーバ装置、加入者情報管理サーバ装置、電話帳情報同期方法に関し、特に電話帳サーバ装置に保持されている電話帳情報を同期させる電話帳情報同期システム、スマートフォン用電話帳サーバ装置、フィーチャーフォン用電話帳サーバ装置、加入者情報管理サーバ装置、電話帳情報同期方法に関する。
【背景技術】
【０００２】
一般に、携帯電話機その他の携帯端末は、電話帳機能を有している。この電話帳機能は、携帯端末内のメモリによって実現されるデータベースである電話帳に、他のユーザの氏名と共に、電話番号、メースアドレス、住所などを登録しておく機能である。そして、データお預かりサービスを利用した場合は、携帯端末に保存されている電話帳の内容を、ネットワークに設けられたサーバ装置に保存しておくことができる。電話帳の内容をサーバ装置に保存しておくことにより、携帯端末を紛失した場合や携帯端末に保存されているデータを誤って削除した際などに、データを復元することができる。
【０００３】
ここで、特許文献１には、電話帳管理サーバで電話帳を管理しておき、携帯電話機が、電話帳管理サーバから最新の電話帳データを取得し、自機に保有する電話帳データとの同期を取るシステムが記載されている。
また、特許文献２では、電話を用いた電子メールの交換サービスによって、宛先に複数の電子メールアドレスを指定し、一度の送信で特定の多数の相手に同じ内容のメッセージを伝達することによって、自分の携帯電話の電話番号の新規の登録や変更の旨を指定した複数の相手の携帯電話に通知し、それらの電話帳情報の書き換えを行っている。
【０００４】
さらに、特許文献３では、ＳＭＳ（Short Message Service）メッセージを利用し、受信したＳＭＳメッセージをディレクトリの形式に変換することによってデータの同期化を実現している。
【先行技術文献】
【特許文献】
【０００５】
【特許文献１】特開２００７−１２３９５９号公報
【特許文献２】特開２００４−１１２１１９号公報
【特許文献３】特開２００７−５１６６２９号公報
【発明の概要】
【発明が解決しようとする課題】
【０００６】
図１０は、スマートフォンの表示画面の表示例を示す図である。図１０においては、人物写真とその人物の氏名とが表示されている。ここで、例えば画面表示されているボタン８１の部分をタッチすれば、ＳＮＳ（Social Network Service）にアクセスし、新メンバーの追加処理を行うことができる。また、例えば画面表示されているボタン８２の部分をタッチすれば、ブログサービスにアクセスし、日記の内容を更新することができる。さらに、例えば画面表示されているボタン８３の部分をタッチすれば、ＳＮＳにアクセスし、プロフィール写真を更新することができる。
【０００７】
図１１は、ＳＮＳなどと連携して電話帳情報を同期する処理を示す図である。図１１において、フィーチャーフォン２１とスマートフォン２２とは、同一ユーザの名義とする。スマートフォン２２については、３Ｇ（３rd Generation）網２００において、無線基地局装置２０ｂ、パケット交換機３０ｂ、外部ＧＷ装置８０を介してインターネット（Ｉｎｔｅｒｎｅｔ）１００に接続することができる。インターネット１００においては、コンテンツプロバイダ（以下、ＣＰと略称）により、ブログサービス、つぶやきサービス、ウェブアルバムサービス、ＳＮＳなどのサービスが提供されている。
【０００８】
ここで、ＳＮＳにおいて、他のユーザがパーソナルコンピュータ（以下、ＰＣと略称）１０やスマートフォン９１によって、自身の連絡先を更新した場合を考える。このような場合、スマートフォン２２については、ＳＮＳと連携して電話帳情報の同期が可能である。このため、ＳＮＳにおいて、他のユーザが自身の連絡先を更新すると、更新された内容をスマートフォン２２に保持することができる。この場合、３Ｇ網２００に設けられているスマートフォン用電話帳サーバ装置７０に、更新内容を含む電話帳情報が保持できる。
【０００９】
一方、フィーチャーフォン２１については、無線基地局装置２０ａ、パケット交換機３０ａ、外部ＧＷ装置８０を介してインターネット１００に接続しても、ＳＮＳと連携して電話帳情報を同期できない。図１１に記載の「ＮＧ」は電話帳情報を同期できないことを表している。フィーチャーフォン用電話帳サーバ装置６０を３Ｇ網２００に設けても、ＳＮＳと連携して電話帳情報を同期できない。このため、フィーチャーフォン２１については、ＳＮＳで繋がっている他のユーザの連絡先の更新を意識し、手動で電話帳情報を更新する必要がある。
【００１０】
フィーチャーフォン２１についてＳＮＳと連携して電話帳情報を同期できない理由は、以下のとおりである。すなわち、図１２に示されているように、フィーチャーフォン向けに提供されているデータお預かりサービスは、フィーチャーフォンのネイティブアプリケーションを開発し、ネットワークからの制御ＳＭＳメッセージに対し、電話帳情報をストレージサーバへ通知する（また、ユーザが手入力で電話帳情報をストレージサーバへ通知する）仕組みになっている。ＳＮＳとの同期を取るため、データお預かりサービスと同様の仕組みを外部のＳＮＳ装置に具備する場合、制御ＳＭＳ機能の具備や、フィーチャーフォンのネイティブアプリケーションへの外部からの入力を許容する仕組みの導入が必要となり、コスト面やユーザの秘密情報保持（セキュリティ）の観点から非現実的である。このため、フィーチャーフォン２１については、ＳＮＳと連携して電話帳情報を同期できない。
【００１１】
このような問題は、特許文献１〜３に記載の技術では解決することができない。
本発明は上述した背景技術の問題を解決するためになされたものであり、その目的は、フィーチャーフォンについて、スマートフォンと同様に、ユーザが意識することなく他のユーザの連絡先を自動的に更新させ、フィーチャーフォンを含む複数端末を保持しているユーザの通話サービスの利便性の向上を図ることのできる電話帳情報同期システム、スマートフォン用電話帳サーバ装置、フィーチャーフォン用電話帳サーバ装置、加入者情報管理サーバ装置、電話帳情報同期方法を提供することである。
【課題を解決するための手段】
【００１２】
本発明の一態様による電話帳情報同期システムは、
スマートフォン用電話帳情報を保持するスマートフォン電話帳情報保持部と、前記スマートフォン電話帳情報保持部に保持されている電話帳情報の内容とスマートフォン（例えば、図５中のスマートフォン２２）に保持されている電話帳情報の内容とを同一にするための同期処理を行うための第１の同期処理要求（例えば、図５中のステップＳ１１０のバックアップ要求）を送信する第１の同期処理要求送信部と、前記第１の同期処理要求に対する応答（例えば、図９中のステップＳ１２５のパケット接続要求）に、同期処理を示す情報が付加されている場合に、前記スマートフォン電話帳情報保持部に保持されている電話帳情報の内容と前記スマートフォンと同一名義のフィーチャーフォン（例えば、図５中のフィーチャーフォン２１）のフィーチャーフォン用電話帳情報の内容とを同一にするための同期処理を行う同期処理部と、前記同期処理部による同期処理後の前記フィーチャーフォン用電話帳情報と前記フィーチャーフォンに保持されている電話帳情報の内容とを同一にするための同期処理を行うための第２の同期処理要求（例えば、図９中のステップＳ１３０のバックアップ処理指示）を、前記フィーチャーフォンに送信する第２の同期処理要求送信部と、を有するスマートフォン用電話帳サーバ装置（例えば、図５中のスマートフォン用電話帳サーバ装置７０）と、
前記フィーチャーフォンに関するフィーチャーフォン用電話帳情報を保持するフィーチャーフォン電話帳情報保持部と、前記フィーチャーフォン用電話帳情報をバックアップする契約が存在し、かつ、前記第２の同期処理要求が入力された場合に、前記フィーチャーフォン電話帳情報保持部に保持されている電話帳情報の内容と前記スマートフォン電話帳情報保持部に保持されている電話帳情報の内容とを同一にするための同期処理を行う同期処理部と、前記第２の同期処理要求が入力された場合に、前記フィーチャーフォン電話帳情報保持部に保持されている電話帳情報の内容と前記フィーチャーフォンに保持されている電話帳情報の内容とを同一にするための第３の同期処理要求（例えば、図９中のステップＳ１３２のバックアップ要求）を送信する第３の同期処理要求送信部とを有するフィーチャーフォン用電話帳サーバ装置（例えば、図５中のフィーチャーフォン用電話帳サーバ装置６０）と、
を含むことを特徴とする。このシステムによれば、フィーチャーフォンについて、スマートフォンと同様に、ユーザが意識することなく他のユーザの連絡先を自動的に更新させユーザの通話サービスの利便性の向上を図ることができる。
【００１３】
本発明の一態様によるスマートフォン用電話帳サーバ装置は、
スマートフォン用電話帳情報を保持するスマートフォン電話帳情報保持部と、
前記スマートフォン電話帳情報保持部に保持されている電話帳情報の内容とスマートフォンに保持されている電話帳情報の内容とを同一にするための同期処理を行うための第１の同期処理要求を送信する第１の同期処理要求送信部と、
前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を行う同期処理部と、
前記同期処理部による同期処理後の前記フィーチャーフォン用電話帳情報と前記フィーチャーフォンに保持されている電話帳情報の内容とを同一にするための同期処理を行うための第２の同期処理要求を、前記フィーチャーフォンに送信する第２の同期処理要求送信部と、
を含むことを特徴とする。このスマートフォン用電話帳サーバ装置を用いれば、フィーチャーフォンについて、スマートフォンと同様に、ユーザが意識することなく他のユーザの連絡先を自動的に更新させユーザの通話サービスの利便性の向上を図ることができる。
【００１４】
前記第１の同期処理要求送信部は、前記第１の同期処理要求を、周期的に送信することが望ましい。このようにすれば、自動更新が周期的に行われ、例えばＳＮＳにおいて他のユーザに関する電話帳情報が更新されたり、新規に電話帳情報が登録されたりした場合に、その更新内容や登録内容をフィーチャーフォンの電話帳に反映させることができる。
本発明の一態様によるフィーチャーフォン用電話帳サーバ装置は、フィーチャーフォンに関するフィーチャーフォン用電話帳情報を保持するフィーチャーフォン電話帳情報保持部と、フィーチャーフォン電話帳情報保持部に保持されている電話帳情報の内容とスマートフォン用電話帳サーバ装置のスマートフォン電話帳情報保持部に保持されている電話帳情報の内容とを同一にするための同期処理を行うための第２の同期処理要求（例えば、図９中のステップＳ１３０のバックアップ処理指示）が入力された場合に、フィーチャーフォン電話帳情報保持部に保持されている電話帳情報の内容とスマートフォン電話帳情報保持部に保持されている電話帳情報の内容とを同一にするための同期処理を行う同期処理部と、前記第２の同期処理要求が入力された場合に、前記フィーチャーフォン電話帳情報保持部に保持されている電話帳情報の内容とフィーチャーフォンに保持されている電話帳情報の内容とを同一にするための第３の同期処理要求を送信する第３の同期処理要求送信部とを含むことを特徴とする。このフィーチャーフォン用電話帳サーバ装置を用いれば、フィーチャーフォンについて、スマートフォンと同様に、ユーザが意識することなく他のユーザの連絡先を自動的に更新させユーザの通話サービスの利便性の向上を図ることができる。
【００１５】
本発明の一態様による加入者情報管理サーバ装置は、加入者に関する契約情報を保持する加入者情報保持部と、着信者情報呼出要求が入力された場合に、前記加入者情報保持部に保持されている契約情報を確認する契約情報確認部と、フィーチャーフォンについての在圏情報の問合せがあった場合に、前記フィーチャーフォンの在圏情報を返信する在圏情報返信部とを含み、前記在圏情報に基づいて、前記フィーチャーフォンに保持されている電話帳情報の内容と前記フィーチャーフォンと同一名義のスマートフォンに保持されている電話帳情報の内容とを同一にするための同期処理を促すことを特徴とする。この構成によれば、スマートフォンと同一名義のフィーチャーフォンの存在を確認し、フィーチャーフォンの在圏情報を判断して、電話帳情報の内容を更新することができる。
【００１６】
本発明の一態様による電話帳情報同期方法は、スマートフォン用電話帳情報を保持するスマートフォン電話帳情報保持部と、前記スマートフォン電話帳情報保持部に保持されている電話帳情報の内容とスマートフォンに保持されている電話帳情報の内容とを同一にするための同期処理を行うための第１の同期処理要求を送信する第１の同期処理要求送信部と、前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を行う同期処理部と、前記同期処理部による同期処理後の前記フィーチャーフォン用電話帳情報と前記フィーチャーフォンに保持されている電話帳情報の内容とを同一にするための同期処理を行うための第２の同期処理要求を、前記フィーチャーフォンに送信する第２の同期処理要求送信部と、を有するスマートフォン用電話帳サーバ装置（例えば、図５中のスマートフォン用電話帳サーバ装置７０）と、
前記フィーチャーフォンに関するフィーチャーフォン用電話帳情報を保持するフィーチャーフォン電話帳情報保持部と、前記フィーチャーフォン用電話帳情報をバックアップする契約が存在し、かつ、前記第２の同期処理要求が入力された場合に、前記フィーチャーフォン電話帳情報保持部に保持されている電話帳情報の内容と前記スマートフォン電話帳情報保持部に保持されている電話帳情報の内容とを同一にするための同期処理を行う同期処理部と、前記第２の同期処理要求が入力された場合に、前記フィーチャーフォン電話帳情報保持部に保持されている電話帳情報の内容と前記フィーチャーフォンに保持されている電話帳情報の内容とを同一にするための第３の同期処理要求を送信する第３の同期処理要求送信部とを有するフィーチャーフォン用電話帳サーバ装置（例えば、図５中のフィーチャーフォン用電話帳サーバ装置６０）と、
を含む電話帳情報同期システムにおいて実現される電話帳情報同期方法であって、
前記スマートフォン電話帳情報保持部に保持されている電話帳情報の内容とスマートフォンに保持されている電話帳情報の内容とを同一にするための同期処理を行うための第１の同期処理要求を前記スマートフォン用電話帳サーバ装置において送信する第１ステップ（例えば、図５中のステップＳ１０９）と、
前記第１の同期処理要求に基づく着信者情報呼出要求が入力された場合に、前記加入者情報管理サーバ装置において前記スマートフォンに関する契約情報を確認する第２ステップ（例えば、図５中のステップＳ１１１〜Ｓ１１６）と、
前記第２ステップによる確認の結果、前記スマートフォンと同一名義のフィーチャーフォンが存在し、かつ、前記フィーチャーフォン用電話帳情報をバックアップする契約が存在する場合に、前記第３の同期処理要求を送信する第３ステップ（例えば、図５中のステップＳ１１７）と、
前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を前記スマートフォン用電話帳サーバ装置において行う第４ステップ（例えば、図９中のステップＳ１３１）と、
前記第４ステップによる同期処理後の前記フィーチャーフォン用電話帳情報と前記フィーチャーフォンに保持されている電話帳情報の内容とを同一にするための同期処理を行うための第２の同期処理要求を、前記スマートフォン用電話帳サーバ装置から前記フィーチャーフォンに送信する第５ステップ（例えば、図９中のステップＳ１３０）と、
を含むことを特徴とする。この方法によれば、フィーチャーフォンについて、スマートフォンと同様に、ユーザが意識することなく他のユーザの連絡先を自動的に更新させユーザの通話サービスの利便性の向上を図ることができる。
【発明の効果】
【００１７】
本発明によれば、スマートフォン電話帳情報保持部に保持されている電話帳情報の内容とスマートフォンと同一名義のフィーチャーフォンのフィーチャーフォン用電話帳情報の内容とを同一にするための同期処理を行い、その同期処理後のフィーチャーフォン用電話帳情報とフィーチャーフォンに保持されている電話帳情報の内容とを同一にするための同期処理を行うことにより、フィーチャーフォンについて、スマートフォンと同様に、ユーザが意識することなく他のユーザの連絡先を自動的に更新させユーザの通話サービスの利便性の向上を図ることができる。
【図面の簡単な説明】
【００１８】
【図１】本発明の実施形態による電話帳情報同期システムの構成例を示す概念図である。
【図２】図１中のスマートフォン用電話帳サーバ装置の機能構成例を示す図である。
【図３】図１中のフィーチャーフォン用電話帳サーバ装置の機能構成例を示す図である。
【図４】図１中の加入者情報管理サーバ装置の機能構成例を示す図である。
【図５】電話帳情報同期システムによる動作例を示すシーケンス図である。
【図６】電話帳情報の更新の例を示す図である。
【図７】電話帳情報同期システムにおいて送受信されるパケットの例を示す図である。
【図８】契約者情報の例を示す図である。
【図９】電話帳情報同期システムによる動作例の続きを示すシーケンス図である。
【図１０】スマートフォンの表示画面の表示例を示す図である。
【図１１】ＳＮＳなどと連携して電話帳情報を同期する処理を示す図である。
【図１２】フィーチャーフォン向けに提供されているデータお預かりサービスの課題を説明するための図である。
【発明を実施するための形態】
【００１９】
以下、本発明の実施の形態を、図面を参照して説明する。なお、以下の説明において参照する各図では、他の図と同等部分は同一符号によって示されている。
（用語の定義）
本明細書において、「同期」とは、２つの装置にそれぞれ保持されているデータの内容を同一にすることを指す。例えば、フィーチャーフォン用電話帳サーバ装置に保持されている電話帳情報の内容とスマートフォン用電話帳サーバ装置に保持されている電話帳情報の内容と同一にすることを指す。
【００２０】
また、本明細書において、「フィーチャーフォン」とは、携帯電話の端末のうち、通話機能を主体とし、その他にカメラやワンセグをはじめとする特徴的な機能を作りこまれた端末である。また、ｉアプリ（登録商標）と呼ばれるような、Ｊａｖａ（登録商標）で書かれたアプリケーションを第三者によりカスタマイズすることは可能であるがフィーチャーフォン本体の外部アクセスに対するセキュリティ機能の影響によりｉアプリ（登録商標）と本体内のネイティブアプリの連携はできない。
【００２１】
さらに、本明細書において、「ＳＮＳ」とは、ユーザが自由にアカウントを取得し、電話番号、メールアドレス等の情報を登録することができるネットワークサービスである。特定のユーザ間でグループになることもできる。スマートフォンに該当ＳＮＳのアプリケーションをインストールし、取得したアカウントを入力することでスマートフォン内の電話帳とＳＮＳとの間で、電話番号やメールアドレスの同期を取ることができる。
【００２２】
（電話帳情報同期システム）
図１は、本発明の実施形態による電話帳情報同期システムの構成例を示す概念図である。図１を参照すると、本例の電話帳情報同期システムは、同一のユーザ名義であり同一のユーザが使用するフィーチャーフォン２１およびスマートフォン２２と、図示せぬ無線サービスエリアを実現するための無線基地局装置２０と、フィーチャーフォン２１およびスマートフォン２２と他の装置との間で送受信されるパケットについて交換処理を行うパケット交換機３０とを備えている。
【００２３】
また、本例の電話帳情報同期システムは、パケット網において他の装置とのゲートウェイとして機能するパケット交換ＧＷ（Ｇａｔｅ  Ｗａｙ）装置４０と、ユーザすなわち加入者についての契約内容その他のプロファイルを保持しているデータベースである加入者情報管理サーバ装置５０と、フィーチャーフォン用の電話帳情報を保持しているフィーチャーフォン用電話帳サーバ装置６０と、スマートフォン用の電話帳情報を保持しているスマートフォン用電話帳サーバ装置７０とを備えている。
【００２４】
さらに、本例の電話帳情報同期システムは、インターネット１００に接続されている装置とのゲートウェイとして機能する外部ＧＷ（Ｇａｔｅ  Ｗａｙ）装置８０を備えている。インターネット１００には、ＳＮＳなどのサービスを提供するＣＰ９０が接続されている。このＣＰ９０によって提供されるサービスについては、ＰＣ１０によって利用することができる。
【００２５】
（スマートフォン用電話帳サーバ装置の機能構成例）
図２は、図１中のスマートフォン用電話帳サーバ装置７０の機能構成例を示す図である。図２において、スマートフォン用電話帳サーバ装置７０は、スマートフォン用電話帳情報を保持するスマートフォン電話帳情報保持部７１と、スマートフォン電話帳情報保持部に保持されている電話帳情報の内容とスマートフォン２２に保持されている電話帳情報の内容とを同一にするための同期処理を行うための第１の同期処理要求を送信する第１の同期処理要求送信部７２と、第１の同期処理要求に対する応答に、同期処理を示す情報が付加されている場合に、スマートフォン電話帳情報保持部７１に保持されている電話帳情報の内容とスマートフォン２２と同一名義のフィーチャーフォン２１のフィーチャーフォン用電話帳情報の内容とを同一にするための同期処理を行う同期処理部７３と、同期処理部７３による同期処理後のフィーチャーフォン用電話帳情報とフィーチャーフォン２１に保持されている電話帳情報の内容とを同一にするための同期処理を行うための第２の同期処理要求を、フィーチャーフォン２１に送信する第２の同期処理要求送信部７４と、を備えている。第１の同期処理要求送信部７２は、本例では、第１の同期処理要求を、周期的に送信するように構成されている。このように構成されていれば、後述するように、自動更新が周期的に行われ、例えばＳＮＳにおいて他のユーザに関する電話帳情報が更新されたり、新規に電話帳情報が登録されたりした場合に、その更新内容や登録内容をフィーチャーフォンの電話帳に反映させることができる。
【００２６】
なお、上記の各部については、スマートフォン用電話帳サーバ装置７０内の図示せぬＣＰＵがプログラムを実行することによって、実現することができる。
（フィーチャーフォン用電話帳サーバ装置の機能構成例）
図３は、図１中のフィーチャーフォン用電話帳サーバ装置６０の機能構成例を示す図である。図３において、フィーチャーフォン用電話帳サーバ装置６０は、  フィーチャーフォン用電話帳情報を保持するフィーチャーフォン電話帳情報保持部６１と、フィーチャーフォン電話帳情報保持部６１に保持されている電話帳情報の内容とスマートフォン電話帳情報保持部７１に保持されている電話帳情報の内容とを同一にするための同期処理を行うためのバックアップ処理指示が入力された場合に、フィーチャーフォン電話帳情報保持部６１に保持されている電話帳情報の内容とスマートフォン電話帳情報保持部７１に保持されている電話帳情報の内容とを同一にするための同期処理を行う同期処理部６２と、バックアップ処理指示が入力された場合に、フィーチャーフォン電話帳情報保持部６１に保持されている電話帳情報の内容とフィーチャーフォン２１に保持されている電話帳情報の内容とを同一にするための第３の同期処理要求を送信する第３の同期処理要求送信部６３と、を備えている。
【００２７】
なお、上記の各部については、フィーチャーフォン用電話帳サーバ装置６０内の図示せぬＣＰＵがプログラムを実行することによって、実現することができる。
（加入者情報管理サーバ装置の機能構成例）
図４は、図１中の加入者情報管理サーバ装置５０の機能構成例を示す図である。図４において、加入者情報管理サーバ装置５０は、加入者に関する契約情報を保持する加入者情報保持部５１と、着信者情報呼出要求が入力された場合に、加入者情報保持部５１に保持されている契約情報を確認する契約情報確認部５２と、フィーチャーフォンについての在圏情報の問合せがあった場合に、前記フィーチャーフォンの在圏情報を返信する在圏情報返信部５３とを備え、在圏情報に基づいて、フィーチャーフォンに保持されている電話帳情報の内容とフィーチャーフォンと同一名義のスマートフォンに保持されている電話帳情報の内容とを同一にするための同期処理を促す機能を有している。
【００２８】
なお、上記の各部については、加入者情報管理サーバ装置５０内の図示せぬＣＰＵがプログラムを実行することによって、実現することができる。
（電話帳情報同期システムによる動作例）
以下の説明において参照する図５及び図９において、二重線矢印はユーザプレーン（Ｕ−Ｐｌａｎｅ）による伝送路を示しており、それ以外の矢印はコントロールプレーン（Ｃ−Ｐｌａｎｅ）による伝送路を示している。
【００２９】
ユーザαは、フィーチャーフォン２１とスマートフォン２２とを所有している。フィーチャーフォン２１の電話番号は「No．Ｂ」、スマートフォン２２の電話番号は「No．Ａ」、とする。また、ユーザαとは別のユーザβ（例えば、ユーザαの友人）は、ＰＣ１０を所有している。そして、ユーザβは、ＰＣ１０を操作し、インターネットに接続し、ＣＰ９０にアクセスする（ステップＳ１０１）。このアクセスは、ＨＴＴＰ(Hypertext Transfer Protocol)通信によって行われる。なお、ＰＣ１０の代わりに、タブレット端末や別のスマートフォンを操作してインターネットに接続した場合であってもよい。これにより、ＣＰ９０に保持されている電話帳情報が変更されることになる（ステップＳ１０２）。
【００３０】
ここで、例えば、ユーザαがスマートフォン２２を操作してＣＰ９０によるＳＮＳなどへアクセスした結果、ユーザβがＳＮＳ内のアカウント情報が更新されていれば、ユーザα自身は更新されたことを認識することなく、以下の動作が行われる。例えば、図６のように、電話帳情報が同図中の矢印のように更新された場合を考える。すなわち、図６において、ＳＮＳ「Ｆｕｓｅｂｏｏｋ」に登録されている電話帳情報のうち、名前「○○  ＸＸ」の電話番号（ＴＥＬ）が「０Ｘ０−ＸＸＸＸ−０００２」から「０Ｘ０−ＸＸＸＸ−１２３４」に変更され、かつ、メールアドレス（Ｍａｉｌ）が「●●hatmeil.com」から「●●gmeil.com」に変更された場合を考える。
【００３１】
図５に戻り、このような場合、ユーザαがスマートフォン２２からＳＮＳへアクセスした時に、以下の処理が行われる。すなわち、まず、ユーザαの操作により、スマートフォン２２はインターネットのＣＰ９０へ、接続要求を送信する（ステップＳ１０３ａ、Ｓ１０３ｂ、Ｓ１０３ｃ）。この接続要求に対し、ＣＰ９０から接続要求応答が返信されると（ステップＳ１０４ａ、Ｓ１０４ｂ、Ｓ１０４ｃ）、ＨＴＴＰ通信が開始される（ステップＳ１０５）。このＨＴＴＰ通信によって、ＳＮＳに登録されている情報とスマートフォン２２に保持されている情報との同期が行われる。まず、ＣＰ９０が、スマートフォン２２からの接続を認識すると（ステップＳ１０６）、ＣＰ９０はスマートフォン２２へ、ＨＴＴＰ通信によって更新内容を通知する（ステップＳ１０７）。この通知を受信したスマートフォン２２は、電話帳情報の更新を行う（ステップＳ１０８）。以上の処理により、更新後の電話帳情報がスマートフォン２２に保持される。
【００３２】
ユーザαがデータお預かりサービスを利用している場合、スマートフォン２２に保持されている電話帳情報については、スマートフォン用電話帳サーバ装置７０に、定期的にバックアップされる。この電話帳情報のバックアップ周期が到来したことをトリガとして、バックアップのために以下の処理が開始される（ステップＳ１０９）。バックアップ周期が到来すると、スマートフォン用電話帳サーバ装置７０は、パケット交換ＧＷ装置４０へ、電話番号「No．Ａ」についてのバックアップ要求を送信する（ステップＳ１１０）。このバックアップ要求は、例えば、図７の（Ａ）のように、ペイロードに、電話番号「No．Ａ」が付加されたパケットである。このバックアップ要求を受信したパケット交換ＧＷ装置４０は、加入者情報管理サーバ装置５０へ、電話番号「No．Ａ」についての加入者情報呼出要求を送信する（ステップＳ１１１）。
【００３３】
電話番号「No．Ａ」についての加入者情報呼出要求を受信した加入者情報管理サーバ装置５０は、電話番号「No．Ａ」の契約者すなわちユーザαについて、回線情報契約者情報の確認を行う（ステップＳ１１２）。まず、加入者情報管理サーバ装置５０は、電話番号「No．Ａ」の契約者すなわちユーザαが、同一名義で複数の回線を契約しているか確認する（ステップＳ１１３）。同一名義で複数の回線を契約していない場合、加入者情報管理サーバ装置５０はパケット交換ＧＷ装置４０へ、その旨の応答（既存応答）を送信する（ステップＳ１１３→Ｓ１１３’）。
【００３４】
本例では、電話番号「No．Ａ」の契約者すなわちユーザαについて、回線情報契約者情報は、図８のようになっている。すなわち図８において、契約者であるユーザαについて、電話番号「No．Ａ」に「スマートフォン」の端末識別番号が、電話番号「No．Ｂ」に「フィーチャーフォン」の端末識別番号が、電話番号「No．Ｃ」に「スマートフォン」の端末識別番号が、それぞれ対応付けられている。したがって、加入者情報管理サーバ装置５０は、電話番号「No．Ａ」の契約者すなわちユーザαが、同一名義で複数の回線を契約していると判定できる。
【００３５】
このため、加入者情報管理サーバ装置５０は、次に、フィーチャーフォンと契約回線番号が紐付いているプロファイルはあるか確認する（ステップＳ１１３→Ｓ１１４）。フィーチャーフォンと契約回線番号が紐付いているプロファイルが無い場合、加入者情報管理サーバ装置５０はパケット交換ＧＷ装置４０へ、その旨の応答（既存応答）を送信する（ステップＳ１１４→Ｓ１１４’）。
【００３６】
本例では、図８において、契約者であるユーザαについて、フィーチャーフォンと契約回線番号が紐付いているプロファイルが存在する。したがって、加入者情報管理サーバ装置５０は、電話番号「No．Ａ」の契約者すなわちユーザαについて、フィーチャーフォンと契約回線番号が紐付いているプロファイルが存在すると判定できる。
このため、加入者情報管理サーバ装置５０は、次に、その契約回線には、フィーチャーフォンの電話帳のデータに関するお預かりサービス契約が存在するか確認する（ステップＳ１１４→Ｓ１１５）。電話帳のデータに関するお預かりサービス契約が存在しない場合、加入者情報管理サーバ装置５０はパケット交換ＧＷ装置４０へ、その旨の応答（既存応答）を送信する（ステップＳ１１５→Ｓ１１５’）。
【００３７】
本例では、フィーチャーフォンの電話帳のデータに関するお預かりサービス契約が存在するものとし（ステップＳ１１５→Ｓ１１６）、加入者情報管理サーバ装置５０は、着信者情報呼出要求応答をパケット交換ＧＷ装置４０へ送信する（ステップＳ１１６→Ｓ１１７）。この着信者情報呼出要求応答には、同期フラグと、フィーチャーフォンの電話帳更新のためフィーチャーフォンと括り付いている電話番号（No．Ｂ）とが付与されている。この着信者情報呼出要求応答は、例えば、図７の（Ｂ）のように、ペイロードに、同期フラグ、および、電話番号「No．Ｂ」が付加されたパケットである。
【００３８】
なお、同期フラグとは、フィーチャーフォン用電話帳サーバ装置６０とスマートフォン用電話帳サーバ装置７０との間で、電話帳情報の同期を実施するために、加入者情報管理サーバ装置５０が付与するフラグである。
着信者情報呼出要求応答を受信したパケット交換ＧＷ装置４０は、同期フラグと電話番号（No．Ｂ）とが付与されているバックアップ要求をパケット交換機３０へ、送信する（ステップＳ１１８）。このバックアップ要求を受信したパケット交換機３０は、バックアップ要求に付与されている同期フラグと電話番号（No．Ｂ）とを保持する（ステップＳ１１９）。そして、パケット交換機３０は、同期フラグと電話番号（No．Ｂ）とが付与されているバックアップ要求をスマートフォン２２へ送信する（ステップＳ１２０）。
【００３９】
このバックアップ要求を受信したスマートフォン２２は、電話番号（No．Ｂ）に括り付いたフィーチャーフォンの更新要否をポップアップ表示によってユーザαに確認し、更新する場合は更新要求フラグを通知する（ステップＳ１２１）。このとき、ポップアップ表示が行われた後、ユーザαによる更新要の操作が行われた場合に、スマートフォン２２はパケット交換機３０へ、更新要求フラグが付与されたパケット接続要求を送信する（ステップＳ１２２）。このパケット接続要求は、例えば、図７の（Ｃ）のように、ペイロードに、更新要求フラグが付加されたパケットである。
【００４０】
処理は図９に移行し、パケット交換機３０は、更新要求フラグ有無を確認し、更新要求フラグがある場合は保持していた同期フラグと電話番号（No．Ｂ）とを、電話帳サーバへ接続するためのパケット接続要求に付与し、更新要求フラグが無い場合は同期フラグと電話番号（No．Ｂ）とを破棄する（ステップＳ１２３）。
パケット交換機３０は、同期フラグと電話番号（No．Ｂ）とが付与されたパケット接続要求を、パケット交換ＧＷ装置４０へ送信する（ステップＳ１２４）。このパケット接続要求は、例えば、図７の（Ｄ）のように、ペイロードに、同期フラグと電話番号「No．Ｂ」が付加されたパケットである。このパケット接続要求は、パケット交換ＧＷ装置４０を介してスマートフォン用電話帳サーバ装置７０へ、送信される（ステップＳ１２５）。
【００４１】
パケット接続要求を受信したスマートフォン用電話帳サーバ装置７０は、ユーザαについての電話帳情報を更新する（ステップＳ１２６）。この更新の結果、更新前と比較して情報に差分があるか判断する（ステップＳ１２７）。情報に差分がある場合、スマートフォン用電話帳サーバ装置７０は、パケット接続要求に同期フラグが付与されているか判定する（ステップＳ１２８→Ｓ１２９）。スマートフォン用電話帳サーバ装置７０は、パケット接続要求に同期フラグが付与されている場合、バックアップ処理指示をフィーチャーフォン用電話帳サーバ装置６０へ送信する（ステップＳ１３０）。このバックアップ処理指示には、電話番号（No．Ｂ）の情報が付加されている。このバックアップ処理指示は、例えば、図７の（Ｅ）のように、ペイロードに、電話番号「No．Ｂ」が付加されたパケットである。
【００４２】
なお、ステップＳ１２８において差分が無い場合、処理は終了となる（ステップＳ１２８→Ｓ１２８’）。また、ステップＳ１２９においてパケット接続要求に同期フラグが付与されていない場合、処理は終了となる（ステップＳ１２９→Ｓ１２９’）。
フィーチャーフォン用電話帳サーバ装置６０がバックアップ処理指示を受信すると、フィーチャーフォン用電話帳サーバ装置６０とスマートフォン用電話帳サーバ装置７０との間でＨＴＴＰ通信が開始され、電話帳のデータについて同期が行われる（ステップＳ１３１）。
【００４３】
また、電話番号（No．Ｂ）の情報が付加されているバックアップ処理指示を受信したフィーチャーフォン用電話帳サーバ装置６０は、スマートフォンに保持されている電話帳情報の内容とフィーチャーフォンに保持されている電話帳情報の内容とを同一にするために、電話番号（No．Ｂ）の情報が付加されているバックアップ要求をパケット交換ＧＷ装置４０へ送信する（ステップＳ１３２）。このバックアップ要求を受信したパケット交換ＧＷ装置４０は、加入者情報管理サーバ装置５０へ、電話番号（No．Ｂ）が付加されている着信者情報呼出要求を送信する（ステップＳ１３３）。この着信者情報呼出要求を受信した加入者情報管理サーバ装置５０は、電話番号（No．Ｂ）の情報について在圏情報を呼出し（ステップＳ１３４）、着信者情報呼出要求応答としてパケット交換ＧＷ装置４０へ返信する（ステップＳ１３５）。この着信者情報呼出要求応答を受信したパケット交換ＧＷ装置４０は、フィーチャーフォン２１へ、バックアップ要求を送信する（ステップＳ１３６ａ、Ｓ１３６ｂ）。
【００４４】
フィーチャーフォン２１は、バックアップ要求を受信すると、フィーチャーフォン用電話帳サーバ装置６０へ、パケット接続要求を送信する（ステップＳ１３７ａ、Ｓ１３７ｂ、Ｓ１３７ｃ）。このパケット接続要求を受信したフィーチャーフォン用電話帳サーバ装置６０は、電話帳情報を更新し（ステップＳ１３８）、パケット接続要求応答を送信する（ステップＳ１３９ａ、Ｓ１３９ｂ、Ｓ１３９ｃ）。
【００４５】
このパケット接続要求応答を受信したフィーチャーフォン２１は、フィーチャーフォン用電話帳サーバ装置６０との間でＨＴＴＰ通信を開始する（ステップＳ１４０）。これにより、フィーチャーフォン２１のＳＮＳ同期データを含む電話帳情報の更新処理が行われ、フィーチャーフォン２１に保持されている電話帳情報が更新される（ステップＳ１４１）。
【００４６】
以上のように処理が行われることにより、ＳＮＳによるスマートフォンの電話帳情報の自動更新を、フィーチャーフォンについても行うことができる。
ここで、フィーチャーフォンのネットワークにおいては、着信があった場合にＳＭＳによるメッセージを送信するＰｕｓｈ型のメールシステムを採用している。このＳＭＳによるメッセージは、Ｃ−Ｐｌａｎｅ、Ｕ−Ｐｌａｎｅのいずれを用いて送信してもよい。そして、ＳＭＳによるメッセージを受信したフィーチャーフォンからネットワークにアクセスしてメールを取得するシステムを採用している。そして、上述したように、電話帳情報について周期的にバックアップ要求を送信し、更新処理を行っている。このため、フィーチャーフォンが無線基地局装置に対応する無線サービスエリア外すなわち圏外に位置している場合であっても、その後エリア内すなわち圏内に復帰したときにＳＭＳによるメッセージをフィーチャーフォンが着信でき、電話帳情報の更新を実現できる。
【００４７】
（電話帳情報同期方法）
以上説明した電話帳情報同期システムにおいては、以下のような電話帳情報同期方法が実現されている。すなわち、スマートフォン用電話帳情報を保持するスマートフォン電話帳情報保持部と、前記スマートフォン電話帳情報保持部に保持されている電話帳情報の内容とスマートフォンに保持されている電話帳情報の内容とを同一にするための同期処理を行うための第１の同期処理要求を送信する第１の同期処理要求送信部と、前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を行う同期処理部と、前記同期処理部による同期処理後の前記フィーチャーフォン用電話帳情報と前記フィーチャーフォンに保持されている電話帳情報の内容とを同一にするための同期処理を行うための第２の同期処理要求を、前記フィーチャーフォンに送信する第２の同期処理要求送信部と、を有するスマートフォン用電話帳サーバ装置（例えば、図５中のスマートフォン用電話帳サーバ装置７０）と、前記フィーチャーフォンに関するフィーチャーフォン用電話帳情報を保持するフィーチャーフォン電話帳情報保持部と、前記フィーチャーフォン用電話帳情報をバックアップする契約が存在し、かつ、前記第２の同期処理要求が入力された場合に、前記フィーチャーフォン電話帳情報保持部に保持されている電話帳情報の内容と前記スマートフォン電話帳情報保持部に保持されている電話帳情報の内容とを同一にするための同期処理を行う同期処理部と、前記第２の同期処理要求が入力された場合に、前記フィーチャーフォン電話帳情報保持部に保持されている電話帳情報の内容と前記フィーチャーフォンに保持されている電話帳情報の内容とを同一にするための第３の同期処理要求を送信する第３の同期処理要求送信部とを有するフィーチャーフォン用電話帳サーバ装置（例えば、図５中のフィーチャーフォン用電話帳サーバ装置６０）と、を含む電話帳情報同期システムにおいて実現される電話帳情報同期方法であり、前記スマートフォン電話帳情報保持部に保持されている電話帳情報の内容とスマートフォンに保持されている電話帳情報の内容とを同一にするための同期処理を行うための第１の同期処理要求を前記スマートフォン用電話帳サーバ装置において送信する第１ステップ（例えば、図５中のステップＳ１０９）と、前記第１の同期処理要求に基づく着信者情報呼出要求が入力された場合に、前記加入者情報管理サーバ装置において前記スマートフォンに関する契約情報を確認する第２ステップ（例えば、図５中のステップＳ１１１〜Ｓ１１６）と、前記第２ステップによる確認の結果、前記スマートフォンと同一名義のフィーチャーフォンが存在し、かつ、前記フィーチャーフォン用電話帳情報をバックアップする契約が存在する場合に、前記第３の同期処理要求を送信する第３ステップ（例えば、図５中のステップＳ１１７）と、前記第１の同期処理要求に対する応答に、同期処理を示す情報が付加されている場合に、前記スマートフォン電話帳情報保持部に保持されている電話帳情報の内容と前記スマートフォンと同一名義のフィーチャーフォンのフィーチャーフォン用電話帳情報の内容とを同一にするための同期処理を前記スマートフォン用電話帳サーバ装置において行う第４ステップ（例えば、図９中のステップＳ１３１）と、前記第４ステップによる同期処理後の前記フィーチャーフォン用電話帳情報と前記フィーチャーフォンに保持されている電話帳情報の内容とを同一にするための同期処理を行うための第２の同期処理要求を、前記スマートフォン用電話帳サーバ装置から前記フィーチャーフォンに送信する第５ステップ（例えば、図９中のステップＳ１３０）と、を含む電話帳情報同期方法が実現されている。この方法によれば、フィーチャーフォンについて、スマートフォンと同様に、ユーザが意識することなく他のユーザの連絡先を自動的に更新させユーザの通話サービスの利便性の向上を図ることができる。
【００４８】
（変形例）
上記は、ＳＮＳによって更新された情報に基づき、フィーチャーフォンの電話帳情報の更新を行う場合について説明したが、ＣＰによって実現される他のサービスについても同様に本システムを適用することができる。
また、上記は、フィーチャーフォン用電話帳サーバ装置６０と、スマートフォン用電話帳サーバ装置７０とが、物理的に別々の筐体のサーバ装置によって実現される場合について説明したが、それらは同じ筐体のサーバ装置によって実現されていてもよい。
【００４９】
（まとめ）
以上のように、本システムにおいては、同一ユーザがフィーチャーフォンを含む複数端末を保持している場合に、ＳＮＳなどのＣＰからのスマートフォンへの電話帳同期をトリガとして、フィーチャーフォンに保持されている電話帳情報も自動更新できる。
また、Ｐｕｓｈ型のメールシステムを採用する携帯電話網に本システムを採用すれば、電話帳情報の同期が圏外等により失敗しても、サーバから同期処理要求を周期的に送信することにより、在圏復帰後、電話帳情報の同期を必ず行うことができる。さらに、ＳＮＳで他のユーザの登録内容の更新または追加があった場合、それをトリガとして他のユーザの連絡先を電話帳サーバへ登録できる。
【００５０】
スマートフォンの電話帳サーバからの周期バックアップ要求処理の際に、回線契約状況及び、それに紐付く端末情報及びデータお預かりサービス契約情報から必要に応じフィーチャーフォンの電話帳更新も促すことができる。
なお、本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００５１】
本発明は、ＳＮＳなどによるスマートフォンの電話帳情報の自動更新を、フィーチャーフォンについても行う場合に利用することができる。
【符号の説明】
【００５２】
２０、２０ａ、２０ｂ  無線基地局装置
２１  フィーチャーフォン
２２  スマートフォン
３０、３０ａ、３０ｂ  パケット交換機
４０  パケット交換ＧＷ装置
５０  加入者情報管理サーバ装置
５１  加入者情報保持部
５２  契約情報確認部
５３  在圏情報返信部
６０  フィーチャーフォン用電話帳サーバ装置
６１  フィーチャーフォン電話帳情報保持部
６２  同期処理部
６３  第３の同期処理要求送信部
７０  スマートフォン用電話帳サーバ装置
７１  スマートフォン電話帳情報保持部
７２  第１の同期処理要求送信部
７３  同期処理部
７４  第２の同期処理要求送信部
８０  外部ＧＷ装置
９１  スマートフォン
１００  インターネット
【図１】
0005384591.tif 000002
【図２】
0005384591.tif 000003
【図３】
0005384591.tif 000004
【図４】
0005384591.tif 000005
【図５】
0005384591.tif 000006
【図６】
0005384591.tif 000007
【図７】
0005384591.tif 000008
【図８】
0005384591.tif 000009
【図９】
0005384591.tif 000010
【図１０】
0005384591.tif 000011
【図１１】
0005384591.tif 000012
【図１２】
0005384591.tif 000013